(57)【要約】【課題】ポストファンによって外部に捨てられる熱量を少なく抑えることのできる燃焼装置を提供する。【解決手段】運転の終了によりバーナの燃焼がオフされたときは、バーナの燃焼がオフされた時点から第１ポストファン時間が経過したときにファンを停止させ、運転中のオンオフ制御域でのオンオフ燃焼によりバーナの燃焼がオフされたときは、バーナの燃焼がオフされた時点から第１ポストファン時間より短い第２ポストファン時間が経過したときファンを停止させる。【選択図】図２
2017187182.tif 000002
【特許請求の範囲】
【請求項１】
バーナと、
前記バーナが収められて該バーナの下流に排気口を備えた燃焼室と、
前記バーナの上流から前記燃焼室内へ送風するファンと、
運転中に前記バーナをオンオフ燃焼させる燃焼制御部と、
前記ファンの動作を制御するファン制御部と、
を有し、
前記ファン制御部は、
前記バーナの燃焼中は前記ファンを稼働させ、
運転の終了により前記バーナの燃焼がオフされたときは、前記バーナの燃焼がオフされた時点から第１ポストファン時間が経過したときに前記ファンを停止させ、
運転中のオンオフ燃焼により前記バーナの燃焼がオフされたときは、前記バーナの燃焼がオフされた時点から前記第１ポストファン時間より短い第２ポストファン時間が経過したときに前記ファンを停止させる
ことを特徴とする燃焼装置。
【請求項２】
前記ファン制御部は、前記第２ポストファン時間を、前記燃焼室内の前記バーナから前記排気口までの間が前記ファンからの空気で入れ替わるのに必要な最小時間にする
ことを特徴とする請求項１に記載の燃焼装置。
【請求項３】
前記ファン制御部は、前記第２ポストファン時間を、次に前記バーナの燃焼が開始されるまでに結露が生じない長さに調整する
ことを特徴とする請求項１に記載の燃焼装置。
【請求項４】
前記ファン制御部は、前記バーナの燃焼を開始する前に前記ファンを所定時間稼働させるプリパージ動作を行うと共に、前記第２ポストファン時間を、前記燃焼室内の前記バーナから前記排気口までの間が前記ファンからの空気で入れ替わるのに必要な最小時間より短い時間にし、運転中のオンオフ燃焼で次に前記バーナの燃焼をオンするときのプリパージ動作の時間を、運転の開始時に前記バーナの燃焼をオンするときのプリパージ動作の時間より長くする
ことを特徴とする請求項１に記載の燃焼装置。
【請求項５】
前記ファン制御部は、前記バーナの燃焼が開始されるときはその燃焼開始の所定時間前から前記ファンを稼働させるプリパージ動作を行い、運転中のオンオフ燃焼により前記バーナの燃焼がオフされたときは、次に前記バーナの燃焼が開始される前に結露するか否かを判定し、結露しないと判定した場合は、結露すると判定した場合より前記第２ポストファン時間を短くすると共に、次の燃焼開始時のプリパージ動作の時間を、結露すると判定した場合より長くする、
ことを特徴とする請求項１に記載の燃焼装置。
【請求項６】
前記第２ポストファン時間をゼロにする
ことを特徴とする請求項４または５に記載の燃焼装置。
【請求項７】
前記燃焼室の前記バーナと前記排気口との間に熱交換器を備え、
前記運転は、前記熱交換器と外部の放熱器との間で熱媒体流体を循環させる放熱運転、もしくは浴槽水を前記熱交換器に循環させる風呂追い焚き運転である
ことを特徴とする請求項１乃至６のいずれか１つに記載の燃焼装置。
【請求項８】
前記燃焼制御部は、前記バーナを最小燃焼量で燃焼させても必要量を超える熱が発生する場合に、前記バーナをオンオフ燃焼させる
ことを特徴とする請求項１乃至７のいずれか１つに記載の燃焼装置。
【発明の詳細な説明】
【技術分野】
【０００１】
本発明は、運転中にバーナをオンオフ燃焼させる燃焼装置に関する。
【背景技術】
【０００２】
通常、燃焼装置は、ファンでバーナに空気を送り込む送風動作を燃焼中だけでなく、バーナの燃焼を停止させた後にもしばらく行う。バーナ消火後の送風動作は、一般に、ポストファンと呼ばれる。ポストファンの目的には、（Ａ）バーナ消火後に燃焼室内に溜まっている排気や残留ガスを外部に排出することで結露、腐食を防止する、（Ｂ）燃焼室内の温度を外気温まで下げることでノズルの結露を防止する、（Ｃ）浴室のシャワーへの給湯動作等においては、ポストファンによって熱交換器を冷やすことで、後沸きを抑えて、出湯再開時に熱い湯が出ることを防止する、などがある。
【０００３】
一般に、ポストファンの時間は、上記のような複数の目的を余裕をもって達成できるように十分長い時間に設定される。
【０００４】
なお、バーナをオフしている期間に送風機でバーナに風を送り込む装置に関する技術が下記特許文献１に開示されている。特許文献１に開示の温風暖房装置は、装置内部の温度センサで検出された室温と設定温度とに基づいて熱源をオンオフ制御すると共に、熱源がオフのときには送風機を間欠的に動作させる。これにより、バーナオフ期間中の連続送風で人に冷風感を与えることを抑制しつつ、吸い込み気流を発生させて、装置内部の温度センサで室内の温度を容易に検出する。
【０００５】
このほか、下記特許文献２には、風呂の追い焚き運転において設定温度に到達する少し前にバーナを消火し、熱交換器の余熱による後沸きを利用してその後の昇温を行う技術が開示されている。
【先行技術文献】
【特許文献】
【０００６】
【特許文献１】特公平２−４３９９０号公報
【特許文献２】特開２０１２−５２７５２号公報
【発明の概要】
【発明が解決しようとする課題】
【０００７】
前述したように、ポストファンの時間は、通常、各種の目的を余裕をもって達成できるように十分長い時間に設定されるが、必要以上に長いポストファン動作は熱を外部に捨てることになり、熱効率（部分熱効率）の低下を招く。たとえば、暖房運転では、バーナを最小燃焼量で燃焼させても放熱器での放熱量が熱交換器に加わる熱量を下回る場合に、バーナを間欠的に燃焼させるオンオフ燃焼が行われる。このようなオンオフ燃焼でバーナの燃焼がオフした場合は、しばらく後でバーナがオンになることが自明なので、ポストファンを通常と同じ時間で行うと、必要以上にポストファンの時間が長くなってしまう。
【０００８】
特に、暖房運転中は、バーナの燃焼がオフしている間も熱交換器と放熱器との間に熱媒体流体を循環させるポンプが稼働しているので、ポストファンによって熱媒体流体の熱の一部が排気として機外に放出されてしまう。図１１は、従来の燃焼装置における暖房運転のオンオフ、燃焼のオンオフ、ファンの稼働、熱媒体流体の温度変化の関係を示している。この例では、オンオフ燃焼中の燃焼オフの場合も、運転の終了による燃焼オフの場合と同じポストファン時間になっている。この例では、オンオフ燃焼中の燃焼オフでポストファン動作を開始してからポストファン時間が経過する前に次に燃焼をオンにするタイミングが到来しているためファンが継続的に動作してしまい、燃焼オフの期間に熱媒体流体の温度が大きく低下している。
【０００９】
本発明は、上記の問題を解決しようとするものであり、ポストファンによって外部に捨てられる熱量を少なく抑えることのできる燃焼装置を提供することを目的としている。
【課題を解決するための手段】
【００１０】
かかる目的を達成するための本発明の要旨とするところは、次の各項の発明に存する。
【００１１】
［１］バーナと、
前記バーナが収められて該バーナの下流に排気口を備えた燃焼室と、
前記バーナの上流から前記燃焼室内へ送風するファンと、
運転中に前記バーナをオンオフ燃焼させる燃焼制御部と、
前記ファンの動作を制御するファン制御部と、
を有し、
前記ファン制御部は、
前記バーナの燃焼中は前記ファンを稼働させ、
運転の終了により前記バーナの燃焼がオフされたときは、前記バーナの燃焼がオフされた時点から第１ポストファン時間が経過したときに前記ファンを停止させ、
運転中のオンオフ燃焼により前記バーナの燃焼がオフされたときは、前記バーナの燃焼がオフされた時点から前記第１ポストファン時間より短い第２ポストファン時間が経過したときに前記ファンを停止させる
ことを特徴とする燃焼装置。
【００１２】
上記発明では、運転の終了によってバーナの燃焼をオフするときのポストファン時間（第１ポストファン時間）より、運転中のオンオフ燃焼によってバーナの燃焼をオフするときのポストファン時間（第２ポストファン時間）を短くする。オンオフ燃焼で燃焼をオフした場合は、その後しばらくして燃焼をオンにすることが予定されているので、運転の終了で燃焼をオフする場合よりもポストファン時間を短くして、燃焼オフ中のファンの稼働による放熱を少なくする。
【００１３】
［２］前記ファン制御部は、前記第２ポストファン時間を、前記燃焼室内の前記バーナから前記排気口までの間が前記ファンからの空気で入れ替わるのに必要な最小時間にする
ことを特徴とする［１］に記載の燃焼装置。
【００１４】
上記発明では、第２ポストファン時間を、所謂、ポストパージに必要な最小時間にする。
【００１５】
［３］前記ファン制御部は、前記第２ポストファン時間を、次に前記バーナの燃焼が開始されるまでに結露が生じない長さに調整する
ことを特徴とする［１］に記載の燃焼装置。
【００１６】
上記発明では、たとえば、次にバーナの燃焼が開始するまでに結露が生じない場合は、結露が生じる場合より、第２ポストファン時間を短くする。なお、オンオフ燃焼中に燃焼をオフした場合のポストファンの役割は、上記結露の防止が主目的である。
【００１７】
［４］前記ファン制御部は、前記バーナの燃焼を開始する前に前記ファンを所定時間稼働させるプリパージ動作を行うと共に、前記第２ポストファン時間を、前記燃焼室内の前記バーナから前記排気口までの間が前記ファンからの空気で入れ替わるのに必要な最小時間より短い時間にし、運転中のオンオフ燃焼で次に前記バーナの燃焼をオンするときのプリパージ動作の時間を、運転の開始時に前記バーナの燃焼をオンするときのプリパージ動作の時間より長くする
ことを特徴とする［１］に記載の燃焼装置。
【００１８】
上記発明では、第２ポストファン時間をポストパージに必要な最小時間より短くし、その代りとして、次に燃焼を開始する際のプリパージ時間を通常（運転の開始時）より長くする。第２ポストファン時間は０でもよい。第２ポストファン時間をポストパージに必要な最小時間よりさらに短くすることで、燃焼オフ中のファンからの送風による熱の損失がより一層低減する。なお、通常のプリパージの時間は燃焼室内に前回燃焼時の排ガスが燃焼室内に溜まっていないことを前提として設定された時間なので、第２ポストファン時間をポストパージに必要な最小時間より短くするとポストパージが不十分もしくは行われなくなるので、それを補うためにプリパージ動作の時間を通常より長くする。
【００１９】
［５］前記ファン制御部は、前記バーナの燃焼が開始されるときはその燃焼開始の所定時間前から前記ファンを稼働させるプリパージ動作を行い、運転中のオンオフ燃焼により前記バーナの燃焼がオフされたときは、次に前記バーナの燃焼が開始される前に結露するか否かを判定し、結露しないと判定した場合は、結露すると判定した場合より前記第２ポストファン時間を短くすると共に、次の燃焼開始時のプリパージ動作の時間を、結露すると判定した場合より長くする、
ことを特徴とする［１］に記載の燃焼装置。
【００２０】
上記発明では、オンオフ燃焼中の燃焼オフ時にポストファンを行わない場合に次の燃焼オンまでに結露が生じるか否かを判定し、結露しない場合は、結露する場合に比べて、ポストファン時間を短くしかつプリパージ時間を長くする。
【００２１】
［６］前記第２ポストファン時間をゼロにする
ことを特徴とする［４］または［５］に記載の燃焼装置。
【００２２】
［７］前記燃焼室の前記バーナと前記排気口との間に熱交換器を備え、
前記運転は、前記熱交換器と外部の放熱器との間で熱媒体流体を循環させる放熱運転、もしくは浴槽水を前記熱交換器に循環させる風呂追い焚き運転である
ことを特徴とする［１］乃至［６］のいずれか１つに記載の燃焼装置。
【００２３】
上記発明では、暖房等の放熱運転や風呂の追い焚き運転においては、ポストファンにより熱媒体流体や浴槽水の熱が放熱されるので、第２ポストファン時間を短くする効果が大きい。
【００２４】
［８］前記燃焼制御部は、前記バーナを最小燃焼量で燃焼させても必要量を超える熱が発生する場合に、前記バーナをオンオフ燃焼させる
ことを特徴とする［１］乃至［７］のいずれか１つに記載の燃焼装置。
【発明の効果】
【００２５】
本発明に係る燃焼装置によれば、ポストファンによって外部に捨てられる熱量を少なく抑えることができる。
【図面の簡単な説明】
【００２６】
【図１】本発明の実施の形態に係る燃焼装置の概略の構成を示す図である。
【図２】燃焼装置における、運転のオンオフ、燃焼のオンオフ、ファンのオンオフ、熱媒体流体の温度変化の関係の一例を示す図である。
【図３】第１の実施の形態の燃焼装置が行うポストファン制御を示す流れ図である。
【図４】燃焼装置の暖房運転に係る動作全体を示す流れ図である。
【図５】第１の実施の形態の燃焼装置が行うオンオフ制御域での制御を示す流れ図である。
【図６】第２ポストファン時間をゼロにした場合における、運転のオンオフ、燃焼のオンオフ、ファンのオンオフのタイミングおよび熱媒体流体の温度変化の一例を示す図である。
【図７】第２の実施の形態の燃焼装置が行うポストファン制御を示す流れ図である。
【図８】第２の実施の形態の燃焼装置が行うプリパージ制御を示す流れ図である。
【図９】第２の実施の形態の燃焼装置が行うオンオフ制御域での制御を示す流れ図である。
【図１０】第３の実施の形態の燃焼装置が行うオンオフ制御域での制御を示す流れ図である。
【図１１】従来の燃焼装置における、運転のオンオフ、燃焼のオンオフ、ファンのオンオフ、熱媒体流体の温度変化の関係の一例を示す図である。
【発明を実施するための形態】
【００２７】
以下、図面に基づき本発明の実施の形態を説明する。
【００２８】
<第１の実施の形態＞
図１は、本発明の実施の形態に係る燃焼装置１０の概略の構成を示している。実施の形態で例示する燃焼装置１０は、放熱器２を含む暖房回路に加熱した熱媒体流体を循環させて暖房機能を備えている。
【００２９】
燃焼装置１０は、燃焼ガスを燃焼させるバーナ１１と、バーナ１１が収められ、その下流に排気口１２を備えた燃焼室１３と、バーナ１１の上流側から燃焼室１３内へ送風するファン１４と、燃焼室１３内であってバーナ１１と排気口１２との間（バーナ１１の上方）に配置された熱交換器１５を備えている。
【００３０】
熱交換器１５は水管１５ａに多数のフィン１５ｂを取り付けて構成される。熱交換器１５の水管１５ａの出側は暖房往き配管２１を通じて外部の放熱器２の入り側に接続され、放熱器２の出側は暖房戻り配管２２を通じて熱交換器１５の水管１５ａの入り側に接続されている。暖房回路は、熱交換器１５の水管１５ａ、暖房往き配管２１、放熱器２、暖房戻り配管２２で構成される。暖房戻り配管２２の途中には、暖房回路内で熱媒体流体を循環させる循環ポンプ２４が介挿されている。
【００３１】
また、燃焼装置１０は、バーナ１１への燃焼ガスの供給量を調整するガス比例弁１６、バーナ１１への燃焼ガスの供給を遮断するガス電磁弁１７、元ガス電磁弁１８、暖房回路内の通水を検出するセンサ（図示省略）、熱交換器１５の水管１５ａの出側及び入側における熱媒体流体の温度を検出する温度センサ等（図示省略）を備えている。
【００３２】
さらに燃焼装置１０は、当該燃焼装置１０の動作を制御する制御部３０を備えている。制御部３０は、ＣＰＵ（Central Processing Unit）、ＲＯＭ（Read Only Memory）、ＲＡＭ（Random Access Memory）などを主要部として構成される。制御部３０には、放熱器２の稼働状況や放熱器２が検出した室温を示す信号、燃焼装置１０が備える各種のセンサの出力信号等が入力されると共に、電磁弁１６〜１８、ファン１４、循環ポンプ２４、放熱器２等へ制御信号を出力する。また、制御部３０には運転のオンオフや温度設定等の操作の受け付け、運転状況や設定温度等の表示を行うリモコン（リモートコントローラ）３５が接続されている。
【００３３】
制御部３０は、バーナ１１の燃焼等を制御する燃焼制御部３１と、ファン１４の稼働を制御するファン制御部３２の機能を備えている。
【００３４】
燃焼装置１０は、リモコン３５から運転の開始、停止の操作を受ける。運転開始の操作を受けると放熱運転の一つである暖房運転を開始（運転オン）し、運転停止の操作を受けると暖房運転を停止（運転オフ）する。暖房運転中は、循環ポンプ２４を稼働させ、室温が設定温度になるようにバーナ１１の燃焼を制御する。
【００３５】
バーナ１１の燃焼制御は、燃焼量制御域と、オンオフ制御域に分けられている。燃焼量制御域では、バーナ１１を連続燃焼させたまま燃焼量を大小に制御する。オンオフ制御域は、バーナ１１の燃焼量を最小にしても必要以上の熱が発生する場合に使用される制御モードであり、バーナ１１の燃焼をオンオフする（間欠的に燃焼させる）ことで加熱量が調整される。オンオフ制御域は、バーナ１１を最小燃焼量で燃焼させても加熱量が放熱器２での放熱量を超える場合に使用される。
【００３６】
ファン制御部３２は、バーナ１１の燃焼中にファン１４を稼働させるほか、バーナ１１の燃焼開始前にファン１４を稼働させるプリパージ動作、バーナの燃焼停止後にファンを稼働させるポストファンに関する制御を行う。
【００３７】
燃焼装置１０は、ポストファンの時間を、暖房運転（以後、単に運転とも記す）の終了に伴ってバーナ１１の燃焼をオフにする場合と、オンオフ制御域においてバーナ１１の燃焼をオフにする場合とで相違させる。詳細には、運転の終了によりバーナ１１の燃焼がオフされたときは、バーナ１１の燃焼がオフされた時点から第１ポストファン時間が経過したときにファン１４を停止させる。一方、運転中のオンオフ燃焼によりバーナ１１の燃焼がオフされたとき（オンオフ制御域での燃焼オフ時）は、バーナ１１の燃焼がオフされた時点から第１ポストファン時間より短い第２ポストファン時間が経過したときファン１４を停止させる。
【００３８】
図２は、燃焼装置１０における、運転のオンオフ、燃焼のオンオフ、ファンのオンオフ、熱媒体流体の温度変化の関係の一例を示している。運転終了時は第１ポストファン時間のポストファン動作が行われ、オンオフ制御域での燃焼オフでは、第１ポストファン時間より短い第２ポストファン時間だけポストファン動作が行われる。
【００３９】
ポストファンは、（Ａ）バーナ１１の消火後に燃焼室１３内に溜まっている排気や残留ガスを外部に排出することで結露や腐食を防止する、（Ｂ）燃焼室１３内の温度を外気温まで下げることでバーナ１１のノズルでの結露を防止する、（Ｃ）浴室のシャワーへの給湯動作等においては、送風により熱交換器を冷やすことで、後沸きを抑えて、出湯再開時に熱い湯が出ることを防止する、（Ｄ）その他、を目的として行われる。
【００４０】
しかし、運転中のオンオフ燃焼でバーナ１１の燃焼をオフした場合は、しばらく後にバーナ１１を再び燃焼オンにすることが分かっているので、運転終了時に行うような長時間のポストファンを行う必要はない。また、運転中のオンオフ燃焼でバーナ１１の燃焼をオフした場合に運転終了時と同様にポストファンを長時間行うと、無駄に熱を外部に捨てることになり、熱効率（オンオフ制御域での部分熱効率）の低下を招いてしまう。
【００４１】
そこで、図２に示すように、燃焼装置１０では、運転中のオンオフ燃焼によりバーナ１１の燃焼がオフされたとき（オンオフ制御域での燃焼オフ時）のポストファン時間（第２ポストファン時間）を、運転終了時にバーナ１１の燃焼がオフされた時のポストファン時間（第１ポストファン時間）より短い時間にする。
【００４２】
ここでは、第２ポストファン時間は、燃焼室１３内のバーナ１１から排気口１２までの間の気体がファン１４からの空気で入れ替わる（所謂、ポストパージ）に必要な最小時間とする。すなわち、前述の（Ａ）の目的を果たすのに必要な最小時間に設定する。具体的には、バーナ１１より下流の部分の燃焼室１３の容積をファン１４の１秒当たりの送風量で除して得た時間とすればよい。なお、第２ポストファン時間は、外気が低温かつ高湿度のようなワースト条件でも結露が生じない最小時間を実験で求めて決定してもよい。
【００４３】
図２に示すように、第２ポストファン時間を第１ポストファン時間より短くすることで、燃焼オフ後の熱媒体流体の温度低下が、従来（常に第１ポストファン時間のポストファン動作を行う場合）の温度低下（図２の破線で示す温度カーブ）に比べて、少なくなり、熱効率（オンオフ制御域での部分熱効率）が改善されている。
【００４４】
なお、第２ポストファン時間を、オンオフ制御域で次に燃焼を再開するまでに結露が生じない長さになるように、そのときの状況に応じて調整するようにしてもよい。たとえば、外気の温度、湿度、燃焼を再開する予定の時点における熱媒体流体の温度や燃焼室１３内の温度などに基づいて、次に燃焼を再開する時点までに結露を生じさせないようにするための最小のポストファン時間を求めて、これを第２ポストファン時間に設定する。
【００４５】
図３は、燃焼装置１０のファン制御部３２が行うポストファンの制御に関する流れ図である。バーナ１１の燃焼がオフになったとき（ステップＳ１０１;Ｙｅｓ）、当該燃焼のオフがオンオフ制御域での燃焼オフか否かを判定する（ステップＳ１０２）。オンオフ制御域での燃焼オフでなければ（ステップＳ１０２;Ｎｏ）、すなわち、運転の終了に伴う燃焼オフならば、燃焼オフから第１ポストファン時間が経過した時点でファン１４をオフにして（ステップＳ１０３）、本処理を終了する（エンド）。
【００４６】
当該燃焼のオフがオンオフ制御域での燃焼オフである場合は（ステップＳ１０２;Ｙｅｓ）、燃焼オフから第２ポストファン時間の経過を待ち（ステップＳ１０４;Ｎｏ）、その間に、燃焼が再開されなければ（ステップＳ１０５;Ｎｏ）、燃焼オフから第２ポストファン時間が経過した時点で（ステップＳ１０４;Ｙｅｓ）、ファン１４をオフにして（ステップＳ１０６）、本処理を終了する。燃焼オフから第２ポストファン時間が経過する前にバーナ１１の燃焼が再開された場合は（ステップＳ１０５;Ｙｅｓ）、ファン１４をオンにしたままで、本処理を終了する（エンド）。
【００４７】
なお、ステップＳ１０４;Ｎｏで第２ポストファン時間の経過を待っている間およびステップＳ１０６でファンをオフした後のファンオフ期間中にユーザによって運転がオフされた場合および安全装置の作動等によって運転をオフした場合は、ポストファン時間が不足する事態になる。そこで、この場合は、さらにファンを第１ポストファン時間稼働させる、あるいは、燃焼オフ後のファンの稼働時間の合計（ステップＳ１０４;Ｎｏの間にファンを稼働させた時間との合計）が少なくとも第１ポストファン時間以上になるようにファンを稼働させる。
【００４８】
図４は、燃焼装置１０が行う暖房運転に係る動作全体を示す流れ図である。リモコン３５にてユーザから運転オンの操作を受けると（ステップＳ２０１;Ｙｅｓ）、ファン１４をオンにしてプリパージ動作を開始し（ステップＳ２０２）、第１プリパージ時間が経過したときバーナ１１に点火して燃焼をオンにする（ステップＳ２０３）。第１プリパージ時間は、バーナ１１の近くの燃焼ガスを追い払って外部から取り入れた空気に置換することで、着火時の爆発の防止や着火時点の送風量の安定を目的として、たとえば１秒程度に設定される。
【００４９】
次に、設定温度にするための燃焼量を演算し（ステップＳ２０４）、求めた燃焼量が、最小燃焼量以上か否か、すなわち、燃焼量制御域でバーナ１１の燃焼を制御可能か否かを判断する（ステップＳ２０５）。最小燃焼量以上ならば（ステップＳ２０５；Ｙｅｓ）、燃焼量制御域での燃焼制御を行う（ステップＳ２０６）。すなわち、ステップ２０４で求めた燃焼量でバーナ１１を燃焼させる。その後、ユーザから運転オフの操作を受けたか否かを調べ（ステップＳ２０７）、運転オフでなければ（ステップＳ２０７;Ｎｏ）、ステップ２０４に戻って処理を継続する。
【００５０】
運転オフの場合は（ステップＳ２０７;Ｙｅｓ）、バーナ１１の燃焼をオフにし（ステップＳ２１２）、その後、第１ポストファン時間が経過した時点でファン１４をオフにして（ステップＳ２１３）、すなわち、第１ポストファン時間だけポストファン動作を行って、本処理を終了する（エンド）。
【００５１】
ステップＳ２０４で求めた燃焼量が、最小燃焼量未満の場合は（ステップＳ２０５;Ｎｏ）、オンオフ制御域での制御を行う（ステップＳ２０８）。ステップ２０８の詳細は図５にて説明する。
【００５２】
オンオフ制御域の制御を抜け出てこの処理に戻ってきたら、オンオフ制御域を抜け出た原因が運転オフか否かを調べる（ステップＳ２０９）。運転オフでなければ（ステップＳ２０９;Ｎｏ）、ステップ２０４に戻って処理を継続する。
【００５３】
オンオフ制御域を抜け出た原因が運転オフならば（ステップＳ２０９;Ｙｅｓ）、バーナ１１が燃焼中か否かを調べ（ステップＳ２１０）、燃焼中ならば（ステップＳ２１０;Ｙｅｓ）、バーナ１１の燃焼をオフにし（ステップＳ２１２）、その後、第１ポストファン時間が経過した時点でファン１４をオフにして（ステップＳ２１３）、すなわち、第１ポストファン時間だけポストファン動作を行って、本処理を終了する（エンド）。
【００５４】
バーナ１１の燃焼中でなければ（ステップＳ２１０;Ｎｏ）、ファン１４をオンにし（ステップＳ２１１）、その後、第１ポストファン時間が経過した時点でファン１４をオフにして（ステップＳ２１３）、すなわち、第１ポストファン時間だけポストファン動作を行って、本処理を終了する（エンド）。
【００５５】
図５は、第１の実施の形態におけるオンオフ制御域での制御（図４のステップＳ２０８）の詳細を示す流れ図である。まず、バーナ１１の燃焼をオフにし（ステップＳ３０１）、その後、第２ポストファン時間が経過した時点で、すなわち、第２ポストファン時間だけのポストファン動作を行った後、ファン１４をオフにする（ステップＳ３０２）。
【００５６】
その後、燃焼再開を待つ（ステップＳ３０３;Ｎｏ）。燃焼再開の前に運転がオフにされた場合は（ステップＳ３０４;Ｙｅｓ）、本処理を終了する（リターン）。
【００５７】
燃焼再開のタイミングが到来したら（ステップＳ３０３;Ｙｅｓ）、ファン１４をオンにし（ステップＳ３０５）、その後、第１プリパージ時間の経過後に、すなわち、第１プリパージ時間だけプリパージ動作を行ってから、バーナ１１の燃焼をオンにする（ステップＳ３０６）。
【００５８】
その後、運転がオフにされるか否か（ステップＳ３０７）、および、オンオフ制御域を脱するか否か（ステップＳ３０８）を監視しながら、オンオフ制御域での燃焼オフのタイミングが到来するのを待つ（ステップＳ３０９）。燃焼オフのタイミングが到来する前に、運転がオフにされる（ステップＳ３０７;Ｙｅｓ）もしくはオンオフ制御域を脱した（ステップＳ３０８;Ｙｅｓ）ときは、本処理を終了する（リターン）。
【００５９】
燃焼オフのタイミングが到来したら（ステップＳ３０９;Ｙｅｓ）、ステップＳ３０１に戻って処理を継続する。
【００６０】
なお、図４、図５の「運転オフ」には、ユーザによる運転オフのほか安全装置の作動等による運転をオフも含まれる。
【００６１】
＜第２の実施の形態＞
第１の実施の形態では、プリパージ動作の時間は一律であったが、第２の実施の形態では、オンオフ制御域で燃焼をオフした後に燃焼をオンする際のプリパージ時間（第２プリパージ時間とする）を、通常のプリパージ時間（運転開始時に燃焼をオンする際の第１プリパージ時間）より長くし、その分、第２ポストファン時間を短くする。究極では、第２ポストファン時間をゼロにする。
【００６２】
たとえば、第２ポストファン時間をゼロにし、第２プリパージ時間を、燃焼室１３内のバーナ１１から排気口１２までの間がファン１４からの空気で入れ替わるのに必要な最小時間とする。あるいは、第２ポストファン時間を上記最小時間よりＮ秒だけ短く設定し、第２プリパージ時間を第１プリパージ時間＋Ｎ秒にする。第２プリパージ時間は上記の最小時間より短くてもよい。安定に燃焼を開始するために必要な時間があればよい。もちろん、第２プリパージ時間は上記の最小時間より長くしてもかまわない。
【００６３】
図６は、第２ポストファン時間をゼロにした場合における、運転のオンオフ、燃焼のオンオフ、ファンのオンオフのタイミングおよび熱媒体流体の温度変化の一例を示している。バーナ１１の燃焼をオフしたときに直ちにファン１４を停止させてポストファン動作を行わないので、バーナ１１の燃焼をオフした後の熱媒体流体の温度の低下が、第１の実施の形態に比べて緩やかになっている。図中、第１の実施の形態の図２における熱媒体流体の温度の低下特性を対比のために破線で示してある。
【００６４】
このように、第２ポストファン時間を、前述の最小時間よりさらに短く、あるいはゼロにし、その分、プリパージ時間を第１プリパージ時間より長くすることで、燃焼オフ中の送風によって熱が無駄に失われるのを防止し、熱媒体流体の温度低下をさらに抑制して熱効率を高めることができる。
【００６５】
なお、オンオフ制御域でバーナ１１を次に燃焼オンにするタイミングは燃焼装置１０の制御部３０が自分で制御しているので、次に燃焼オンにするタイミングの第２プリパージ時間前にファン１４をオンにする制御は容易に行うことができる。
【００６６】
図７は、第２の実施の形態の燃焼装置１０のファン制御部３２が行うポストファンの制御に関する流れ図である。バーナ１１の燃焼がオフになったとき（ステップＳ４０１;Ｙｅｓ）、当該燃焼のオフがオンオフ制御域での燃焼オフか否かを判定する（ステップＳ４０２）。オンオフ制御域での燃焼オフでなければ（ステップＳ４０２;Ｎｏ）、燃焼オフから第１ポストファン時間が経過した時点でファン１４をオフにして（ステップＳ４０３）、本処理を終了する（エンド）。
【００６７】
当該燃焼のオフがオンオフ制御域での燃焼オフである場合は（ステップＳ４０２;Ｙｅｓ）、直ちにファン１４をオフにして（ステップＳ４０４）、本処理を終了する。
【００６８】
なお、ステップＳ４０４でファンをオフした後のファンオフ期間中にーザによって運転がオフされた場合および安全装置の作動等によって運転をオフした場合は、ポストファン時間が不足する事態になる。そこで、この場合は、ファンを少なくとも第１ポストファン時間稼働させる。
【００６９】
図８は、第２の実施の形態の燃焼装置１０のファン制御部３２が行うプリパージ動作の制御に関する流れ図である。運転開始の場合（ステップＳ５０１;Ｙｅｓ）、ファン１４をオンにし（ステップＳ５０２）、その後、第１プリパージ時間の経過後にバーナ１１の燃焼オンを燃焼制御部３１に指示して（ステップＳ５０３）、本処理を終了する。この指示を受けると燃焼制御部３１はバーナ１１の燃焼を開始させる。
【００７０】
運転開始でない場合、すなわち、運転中ならば（ステップＳ５０１;Ｎｏ）、オンオフ制御域でバーナ１１の燃焼がオフにされたか否かを監視する（ステップＳ５０４;Ｎｏ）。オンオフ制御域でバーナ１１の燃焼がオフにされたら（ステップＳ５０４;Ｙｅｓ）、次に燃焼をオンに制御するタイミングを演算する（ステップＳ５０５）。そして、次に燃焼をオンにする予定の時間から第２プリパージ時間だけ前のタイミングになるのを待ち（ステップＳ５０６;Ｎｏ）、次に燃焼をオンにする予定の時間から第２プリパージ時間だけ前のタイミングが到来したら（ステップＳ５０６;Ｙｅｓ）、ファン１４をオンにし（ステップＳ５０７）、その後、第２プリパージ時間が経過した時点でバーナ１１の燃焼オンを燃焼制御部３１に指示して（ステップＳ５０８）、本処理を終了する。
【００７１】
図９は、第２の実施の形態の燃焼装置１０が行うオンオフ制御域での制御を示す流れ図である。なお、燃焼装置１０が行う暖房運転に係る動作全体の流れは図４と同様であり、その説明は省略する。
【００７２】
まず、バーナ１１の燃焼をオフにし（ステップＳ６０１）、その後、直ちにファン１４をオフにする（ステップＳ６０２）。そして、次にバーナ１１の燃焼を再開させる予定時間を演算で求め（ステップＳ６０３）、燃焼再開の予定時間から第２プリパージ時間だけ前のファン起動タイミングを求める（ステップＳ６０４）。
【００７３】
その後、ファン起動タイミングの到来を待ち（ステップＳ６０５;Ｎｏ）、ファン起動タイミングの到来前に運転がオフにされた場合は（ステップＳ６０６;Ｙｅｓ）、本処理を終了する（リターン）。
【００７４】
ファン起動タイミングが到来したら（ステップＳ６０５;Ｙｅｓ）、ファン１４をオンにし（ステップＳ６０７）、その後、第２プリパージ時間の経過後に、すなわち、第２プリパージ時間だけプリパージ動作を行ってから、バーナ１１の燃焼をオンにする（ステップＳ６０８）。
【００７５】
その後、運転がオフにされるか否か（ステップＳ６０９）、および、オンオフ制御域を脱するか否か（ステップＳ６１０）を監視しながら、オンオフ制御域での燃焼オフのタイミングが到来するのを待つ（ステップＳ６１１）。燃焼オフのタイミングが到来する前に、運転がオフにされる（ステップＳ６０９;Ｙｅｓ）もしくはオンオフ制御域を脱した（ステップＳ６１０;Ｙｅｓ）ときは、本処理を終了する（リターン）。
【００７６】
燃焼オフのタイミングが到来したら（ステップＳ６１１;Ｙｅｓ）、ステップＳ６０１に戻って処理を継続する。
【００７７】
＜第３の実施の形態＞
第３の実施の形態では、オンオフ制御域の燃焼オフ時にポストファン動作を行うか、ポストファン動作を行わずに（あるいは短くして）次の燃焼オン時のプリパージ時間を長くするかを、次に燃焼を開始するまでに燃焼室１３内で結露が生じ得るか否かに基づいて切り替える。
【００７８】
すなわち、第２の実施の形態で説明したように、オンオフ制御域の燃焼オフ時の第２ポストファン時間をゼロまたは短縮し、それに代えて次の燃焼開始前のプリパージ時間を長くするように制御すれば、燃焼停止中のファン１４の送風による熱の損失を低減して熱効率を高めることができる。しかし、ポストファンを行わない場合は、燃焼室１３内に排気が残留するので、次に燃焼がオンにされるまでに燃焼室１３内の熱交換器１５等の温度が次第に低下し、それに伴って湿度の高い外気が燃焼室１３内に流入すると、その水分が排気ガスの残留成分を含んで結露する恐れがある。
【００７９】
そこで、第３の実施の形態の燃焼装置１０は、オンオフ制御域でバーナ１１の燃焼をオフにしたとき、ポストファンを行わなければ次にバーナ１１の燃焼をオンするまでに結露が生じるか否かを判定し、結露が生じると判定した場合はポストファン動作を行い、結露しないと判定した場合はポストファン動作を行わずに（あるいは短時間にして）、次の燃焼開始時のプリパージ時間を長くする制御を行う。
【００８０】
図１０は、第３の実施の形態の燃焼装置１０が行うオンオフ制御域での制御を示す流れ図である。なお、燃焼装置１０が行う暖房運転に係る動作全体の流れは図４と同様であり、その説明は省略する。
【００８１】
まず、バーナ１１の燃焼をオフにし（ステップＳ７０１）、バーナ１１の燃焼を再開させる予定時間を求める（ステップＳ７０２）。そして、ポストファン動作を行わない場合に燃焼再開の予定時間までに結露が生じるか否かを判定する（ステップＳ７０３）。
【００８２】
結露すると判定した場合は（ステップＳ７０４;Ｎｏ）、第２ポストファン時間（たとえば、ポストパージに必要な最小時間）のポストファン動作を行ってからファン１４をオフにする（ステップＳ７０５）。その後、燃焼再開を待ち（ステップＳ７０６;Ｎｏ）、燃焼再開の前に運転がオフにされた場合は（ステップＳ７０７;Ｙｅｓ）、本処理を終了する（リターン）。
【００８３】
燃焼再開のタイミングが到来したら（ステップＳ７０６;Ｙｅｓ）、ファン１４をオンにし（ステップＳ７０８）、第１プリパージ時間の経過後に、すなわち、第１プリパージ時間だけプリパージ動作を行ってから、バーナ１１の燃焼をオンにする（ステップＳ７０９）。
【００８４】
その後、運転がオフにされるか否か（ステップＳ７１６）、および、オンオフ制御域を脱するか否か（ステップＳ７１７）を監視しながら、オンオフ制御域での燃焼オフのタイミングが到来するのを待つ（ステップＳ７１８;Ｎｏ））。燃焼オフのタイミングが到来する前に、運転がオフにされる（ステップＳ７１６;Ｙｅｓ）もしくはオンオフ制御域を脱した（ステップＳ７１７;Ｙｅｓ）場合は、本処理を終了する（リターン）。
【００８５】
燃焼オフのタイミングが到来したら（ステップＳ７１８;Ｙｅｓ）、ステップＳ７０１に戻って処理を継続する。
【００８６】
一方、  結露しないと判定した場合は（ステップＳ７０４;Ｙｅｓ）、直ちにファン１４をオフにする（ステップＳ７１０）。そして、ステップ７０２で求めた燃焼再開の予定時間から第２プリパージ時間（第１プリパージ時間より長い）だけ前の時刻であるファン起動タイミングを求める（ステップＳ７１１）。その後、ファン起動タイミングの到来を待ち（ステップＳ７１２）、ファン起動タイミングの到来前に（ステップＳ７１２；Ｎｏ）運転がオフにされた場合は（ステップＳ７１３;Ｙｅｓ）、本処理を終了する（リターン）。
【００８７】
ファン起動タイミングが到来したら（ステップＳ７１２;Ｙｅｓ）、ファン１４をオンにし（ステップＳ７１４）、その後、第２プリパージ時間の経過後に、すなわち、第２プリパージ時間だけプリパージ動作を行ってから、バーナ１１の燃焼をオンにして（ステップＳ７１５）、前述したと同様に、ステップＳ７１６以降の処理を行う。
【００８８】
このように、結露するか否かを判定し、その判定結果に基づいて、ポストファンを行うか、ポストファンを行わずに（あるいは短くして）プリパージ時間を長くするかを選択するので、結露を防ぎながら、燃焼オフ中のファン１４の稼働による熱の損失を最小に抑えることができる。
【００８９】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９０】
実施の形態の図１に示す燃焼装置１０は例示であり、これに限定されるものではない。燃焼装置１０は、暖房機能に代えて、あるいは暖房機能に加えて、風呂の追い焚き機能や、給湯機能を備えるもの等であってもかまわない。風呂の追い焚き機能（風呂の追い焚き運転）では、浴槽内の浴槽水を熱交換器に循環させて加熱する。風呂の追い焚き運転においてもファン１４の制御は暖房運転と同様でよい。風呂の追い焚き開始の操作を受けると運転が開始され、風呂の追い焚きが完了すると運転が自動的に終了する。
【００９１】
また、給湯機能においても本発明のファンの制御は適用することができる。給湯機能においては、通水によって運転が開始され通水の終了によって運転が終了する。たとえば、熱交換器を通じて給水を加熱して給湯先へ送る経路において、熱交換器をバイパスさせて給水を熱交換器の出側の湯に合流させるバイパス路を設けると共に、このバイパス路に流す水量を調整する水量制御弁を設ける。そして、給湯運転中にバーナの燃焼量を最小にしても連続燃焼では出湯する湯温が設定温度を超えてしまうような場合に、バーナをオンオフ燃焼させ、該オンオフによる出湯温度の変動を水量制御弁での混合比を調整して抑制するように制御する。このような場合にも本発明に係るファンの制御を適用することができる。したがって、暖房機能、給湯機能、風呂追い焚き機能をすべて備えた１缶３水の熱交換器を備えた燃焼装置などにも本発明を適用することができる。
【００９２】
放熱器２は、室内暖房用、床暖房用、浴室暖房用など任意でよい。暖房を目的としない放熱器であってもよい。
【符号の説明】
【００９３】
２…放熱器
１０…燃焼装置
１１…バーナ
１２…排気口
１３…燃焼室
１４…ファン
１５…熱交換器
１５ａ…水管
１５ｂ…フィン
１６…ガス比例弁
１７…ガス電磁弁
１８…元ガス電磁弁
２１…暖房往き配管
２２…暖房戻り配管
２４…循環ポンプ
３０…制御部
３１…燃焼制御部
３２…ファン制御部
３５…リモコン
【図１】
2017187182.tif 000003
【図２】
2017187182.tif 000004
【図３】
2017187182.tif 000005
【図４】
2017187182.tif 000006
【図５】
2017187182.tif 000007
【図６】
2017187182.tif 000008
【図７】
2017187182.tif 000009
【図８】
2017187182.tif 000010
【図９】
2017187182.tif 000011
【図１０】
2017187182.tif 000012
【図１１】
2017187182.tif 000013